【手続補正書】
【提出日】平成18年5月24日(2006.5.24)
【手続補正１】
【補正対象書類名】特許請求の範囲
【補正対象項目名】全文
【補正方法】変更
【補正の内容】
【特許請求の範囲】
【請求項１】
式（Ｉ）：
Ａ−Ｘ−Ｙ−Ｚ−Ｒ１      （Ｉ）
の化合物であって、ここで、Ａはカルボキシ基であるかまたは存在せず；Ｘはポリオールであり；Ｙは−Ｃ（＝Ｏ）−、−Ｃ（＝Ｓ）−であるかまたは存在せず；ＺはＯ、Ｓ、またはＮＨであり；そしてＲ１はポリエーテルであり、ここで該ポリオールの１つ以上のヒドロキシ基が脂肪酸残基でアシル化されている、化合物。
【請求項２】
前記ポリオールが約２〜約２０個の炭素を有する、請求項１に記載の化合物。
【請求項３】
前記ポリオールが約３〜約１２個の炭素を有する、請求項１に記載の化合物。
【請求項４】
前記ポリオールが約４〜約１０個の炭素を有する、請求項１に記載の化合物。
【請求項５】
前記ポリオールが約２〜約２０個のヒドロキシ基を含む、請求項１または２に記載の化合物。
【請求項６】
前記ポリオールが約２〜約１２個のヒドロキシ基を含む、請求項１〜３のいずれか１項に記載の化合物。
【請求項７】
前記ポリオールが約２〜約１０個のヒドロキシ基を含む、請求項１〜４のいずれか１項に記載の化合物。
【請求項８】
前記ポリオールが１つ以上のカルボキシ基で置換されている、請求項１〜７のいずれか１項に記載の化合物。
【請求項９】
前記ポリオールが２つのカルボキシ基で置換されている、請求項１〜７のいずれか１項に記載の化合物。
【請求項１０】
前記ポリオールが１つのカルボキシ基で置換されている、請求項１〜７のいずれか１項に記載の化合物。
【請求項１１】
前記ポリオールが１〜約１０個の炭素原子を含むモノカルボン酸またはジカルボン酸であり、かつ１〜約１０個のヒドロキシル基で置換されている、請求項１に記載の化合物。
【請求項１２】
前記ポリオールがムチン酸、リンゴ酸、シトロリンゴ酸、アルキルリンゴ酸、グルタル酸のヒドロキシ誘導体、アルキルグルタル酸、酒石酸、またはクエン酸である、請求項１に記載の化合物。
【請求項１３】
前記ポリオールが、２，２−ビス（ヒドロキシメチル）プロピオン酸またはトリシンである、請求項１に記載の化合物。
【請求項１４】
前記ポリオールが糖類である、請求項１に記載の化合物。
【請求項１５】
前記ポリエーテルが、約２〜約１５０個の反復単位を有するポリ（アルキレンオキシド）である、請求項１〜１４のいずれか１項に記載の化合物。
【請求項１６】
前記アルキレンオキシド単位が、２〜４個の炭素原子を含み、かつ直鎖または分枝鎖であり得る、請求項１５に記載の化合物。
【請求項１７】
前記ポリエーテルがアルコキシル末端化されている、請求項１５または１６に記載の化合物。
【請求項１８】
前記ポリエーテルが、エステル結合、チオエステル結合、またはアミド結合を通して前記ポリオールに連結されている、請求項１〜１７のいずれか１項に記載の化合物。
【請求項１９】
前記ポリエーテルが、エステル結合またはアミド結合を通じて前記ポリオールに連結されている、請求項１〜１８のいずれか１項に記載の化合物。
【請求項２０】
前記ポリエーテルが、以下の構造：
Ｒ５−（Ｒ６−Ｏ−）ａ−Ｒ６−Ｑ−
を有し、ここで、Ｒ５は、１〜２０個の炭素の直鎖または分枝鎖のアルキル基、−ＯＨ、−ＯＲ７、−ＮＨ２、−ＮＨＲ７、−ＮＨＲ７Ｒ８、−ＣＯ２Ｈ、−ＳＯ３Ｈ（スルホ）、−ＣＨ２−ＯＨ、−ＣＨ２−ＯＲ７、−ＣＨ２−Ｏ−ＣＨ２−Ｒ７、−ＣＨ２−ＮＨ２、−ＣＨ２−ＮＨＲ７、−ＣＨ２−ＮＲ７Ｒ８、−ＣＨ２ＣＯ２Ｈ、−ＣＨ２ＳＯ３Ｈ、または−Ｏ−Ｃ（＝Ｏ）−ＣＨ２−ＣＨ２−Ｃ（＝Ｏ）−Ｏ−であり；
Ｒ６は、１〜１０個の炭素の直鎖または分枝鎖の二価アルキレン基であり；
Ｒ７およびＲ８の各々は、独立して、１〜６個の炭素の直鎖または分枝鎖のアルキレン基であり；
Ｑは、−Ｏ−、−Ｓ−、または−ＮＲ７であり；そして
ａは、２〜１１０の整数（包括）である、請求項１〜１８のいずれか１項に記載の化合物。
【請求項２１】
前記ポリエーテルが、メトキシ末端ポリエチレングリコールである、請求項１〜１８のいずれか１項に記載の化合物。
【請求項２２】
前記脂肪酸が、約２〜約２４個の炭素原子を含む、請求項１〜２１のいずれか１項に記載の化合物。
【請求項２３】
前記脂肪酸が、約６〜約１８個の炭素原子を含む、請求項１〜２１のいずれか１項に記載の化合物。
【請求項２４】
前記脂肪酸が、カプリル酸、カプリン酸、ラウリル酸、ミリストイル酸、ミリストレイン酸、パルミチン酸、パルミトレイン酸、ステアリン酸、オレイン酸、リノレン酸、アラキドン酸、ベヘン酸、もしくはエルカ酸、またはそれらの混合物を含む、請求項１〜２１のいずれか１項に記載の化合物。
【請求項２５】
請求項１〜２４のいずれか１項に記載される複数の式（Ｉ）の化合物を溶媒中に含む組成物。
【請求項２６】
前記溶媒が有機溶媒を含む、請求項２５に記載の組成物。
【請求項２７】
前記溶媒が水を含む、請求項２５に記載の組成物。
【請求項２８】
前記溶媒が水である、請求項２５に記載の組成物。
【請求項２９】
請求項１〜２４のいずれか１項に記載される複数の式（Ｉ）の化合物を溶媒中に含む組成物であって、該式（Ｉ）の化合物が１つ以上の凝集構造体を形成する、組成物。
【請求項３０】
前記溶媒が有機溶媒を含む、請求項２９に記載の組成物。
【請求項３１】
前記溶媒が水を含む、請求項２９に記載の組成物。
【請求項３２】
前記溶媒が水である、請求項２９に記載の組成物。
【請求項３３】
溶媒、および請求項１〜２４のいずれか１項に記載される複数の式（Ｉ）の化合物を含む架橋ミセルを含む組成物であって、該式（Ｉ）の化合物が、該架橋ミセルを提供するよう架橋された１つ以上の凝集構造を形成する、組成物。
【請求項３４】
請求項１〜２４のいずれか１項に記載される複数の式（Ｉ）の化合物を溶媒中で合わせる工程；および該化合物に凝集構造体を形成させる工程、により形成された凝集構造体。
【請求項３５】
請求項１〜２４のいずれか１項に記載される複数の式（Ｉ）の化合物を溶媒中で合わせる工程；該化合物に凝集体を形成させる工程；および式（Ｉ）の化合物を架橋して架橋ミセルを提供する工程、により形成された架橋ミセル。
【請求項３６】
請求項１〜２４のいずれか１項に記載される複数の式（Ｉ）の化合物の凝集構造体を調製する方法であって、複数の式（Ｉ）の化合物を溶媒中で合わせる工程；および該化合物に該凝集構造体を形成させる工程、を包含する、方法。
【請求項３７】
架橋ミセルを調製する方法であって、請求項１〜２４のいずれか１項に記載される複数の式（Ｉ）の化合物を溶媒中で合わせる工程；該化合物に該凝集構造体を形成させる工程；および該式（Ｉ）の化合物を架橋して該架橋ミセルを提供する工程、を包含する、方法。
【請求項３８】
請求項１〜２４のいずれか１項に記載される複数の式（Ｉ）の化合物により囲まれた、または部分的に囲まれた分子を含むカプセル体。
【請求項３９】
請求項１〜２４のいずれか１項に記載される複数の式（Ｉ）の化合物により囲まれた、または部分的に囲まれた治療剤を含むカプセル体。
【請求項４０】
架橋ミセル中に分子を含むカプセル体であって、該架橋ミセルは、架橋された、請求項１〜２４のいずれか１項に記載される複数の式（Ｉ）の化合物を含む、カプセル体。
【請求項４１】
架橋ミセル中に治療剤を含むカプセル体であって、該架橋ミセルは、架橋された、請求項１〜２４のいずれか１項に記載される複数の式（Ｉ）の化合物を含む、カプセル体。
【請求項４２】
請求項３８に記載されるカプセル体を調製する方法であって、請求項１〜２４のいずれか１項に記載される複数の式（Ｉ）の化合物および分子を溶媒中で合わせる工程；および式（Ｉ）の化合物を該分子の周囲に凝集させて該カプセル体を提供する工程、を包含する、方法。
【請求項４３】
請求項３９に記載されるカプセル体を調製する方法であって、請求項１〜２４のいずれか１項に記載される複数の式（Ｉ）の化合物および治療剤を溶媒中で合わせる工程；および式（Ｉ）の化合物を該治療剤の周囲に凝集させて該カプセル体を提供する工程、を包含する、方法。
【請求項４４】
請求項４０に記載されるカプセル体を調製する方法であって、請求項１〜２４のいずれか１項に記載される複数の式（Ｉ）の化合物および分子を溶媒中で合わせる工程；式（Ｉ）の化合物を該分子の周囲に凝集させる工程；および該式（Ｉ）の化合物を架橋して該カプセル体を提供する工程、を包含する、方法。
【請求項４５】
請求項４１に記載されるカプセル体を調製する方法であって、請求項１〜２４のいずれか１項に記載される複数の式（Ｉ）の化合物および治療剤を溶媒中で合わせる工程；式（Ｉ）の化合物を該治療剤の周囲に凝集させる工程；および該式（Ｉ）の化合物を架橋して該カプセル体を提供する工程、を包含する、方法。
【請求項４６】
溶媒、および分子を囲む請求項１〜２４のいずれか１項に記載される複数の式（Ｉ）の化合物の凝集体を含む、組成物。
【請求項４７】
溶媒、および治療剤を囲む請求項１〜２４のいずれか１項に記載される複数の式（Ｉ）の化合物の凝集体を含む、組成物。
【請求項４８】
請求項３９に記載されるカプセル体；および薬学的に受容可能なキャリアを含む、薬学的組成物。
【請求項４９】
請求項４１に記載されるカプセル体；および薬学的に受容可能なキャリアを含む、薬学的組成物。
【請求項５０】
治療剤を用いる処置を必要とする動物に該治療剤を送達するための組成物であって、請求項３９に記載のカプセル体を含む、組成物。
【請求項５１】
治療剤を用いる処置を必要とする動物に該治療剤を送達するための組成物であって、請求項４１に記載のカプセル体を含む、組成物。